(57)【要約】【課題】  付箋が装着されるシート状物を損傷させることなく付箋の着脱を可能とするとともに、意図しない時点で取り外させてしまう恐れを従来に比べて低減できる付箋、付箋取り外し具及び付箋取り外し方法を提供することである。【解決手段】  シート状物の外周縁に着脱可能に装着される付箋であって、付箋本体部と、該付箋本体部の一端に一体的に形成された、シート状物の表裏面側から該シート状物を挟み込み、該付箋本体部をシート状物に装着する一対の装着マグネット部と、を備えたことを特徴とする。【選択図】図１
2014073601.tif 000002
【特許請求の範囲】
【請求項１】
シート状物の外周縁に着脱可能に装着される付箋であって、
付箋本体部と、
該付箋本体部の一端に一体的に形成された、シート状物の表裏面側から該シート状物を挟み込み、該付箋本体部をシート状物に装着する一対の装着マグネット部と、
を備えたことを特徴とする付箋。
【請求項２】
前記付箋本体部の少なくとも一部には強磁性体が配設されている請求項１記載の付箋。
【請求項３】
請求項２記載の付箋を取り外す付箋取り外し具であって、
バー状本体と、
該バー状本体に配設され前記装着マグネット部の磁力よりも強力な磁力を有する取り外し用マグネットと、を備え、
該取り外し用マグネットに前記強磁性体が磁気的に吸着されることで、シート状物に装着された該付箋を取り外すことを特徴とする付箋取り外し具。
【請求項４】
シート状物の外周縁に着脱可能に装着された請求項２記載の付箋を請求項３記載の付箋取り外し具で取り外す付箋取り外し方法であって、
該付箋取り外し具の前記取り外し用マグネットで該複数の付箋の前記強磁性体をそれぞれ吸着する吸着ステップと、
該吸着ステップを実施した後、該複数の付箋が吸着された該付箋取り外し具を１枚又は複数枚のシート状物から離反させることで該複数の付箋を１枚又は複数枚のシート状物から一度に取り外す取り外しステップと、
を備えたことを特徴とする付箋取り外し方法。
【発明の詳細な説明】
【技術分野】
【０００１】
本発明は、繰り返し使用可能な付箋及び付箋取り外し具、並びに付箋取り外し方法に関する。
【背景技術】
【０００２】
紙やクリアフォルダ（クリアケース）等のシート状物に目印をつけるため、例えば実開平１−１３８７７０号公報に開示されるような付箋が広く利用されている。一般的に付箋は、例えば紙からなる付箋本体の一側面の一端に接着剤が配設されて形成され、この接着剤を介して付箋本体がシート状物に貼着される。
【先行技術文献】
【特許文献】
【０００３】
【特許文献１】実開平１−１３８７７０号公報
【特許文献２】実用新案登録第３０２２４８４号公報
【発明の概要】
【発明が解決しようとする課題】
【０００４】
付箋に配設された接着剤とシート状物が強固に接着してしまうと、付箋の取り外し時にシート状物の被貼着面側が一部剥離してしまったり、接着剤がシート状物の上面に残ってしまってシート状物を損傷させる恐れがある。
【０００５】
そこで、シート状物を損傷させることなく付箋を着脱できるよう、例えば実用新案登録第３０２２４８４号公報に開示されるように接着剤には弱粘着性のものが用いられる。このように接着剤が弱粘着性であると、シート状物に貼着した付箋が意図していない時点でとれてしまい易いという問題があった。
【０００６】
本発明はこのような点に鑑みてなされたものであり、その目的とするところは、付箋が装着されるシート状物を損傷させることなく付箋の着脱を可能とするとともに、意図しない時点で取り外させてしまう恐れを従来に比べて低減できる付箋、付箋取り外し具及び付箋取り外し方法を提供することである。
【課題を解決するための手段】
【０００７】
請求項１記載の発明によると、シート状物の外周縁に着脱可能に装着される付箋であって、付箋本体部と、該付箋本体部の一端に一体的に形成された、シート状物の表裏面側から該シート状物を挟み込み、該付箋本体部をシート状物に装着する一対の装着マグネット部と、を備えたことを特徴とする付箋が提供される。
【０００８】
好ましくは、付箋本体部には少なくとも一部に強磁性体が配設されている。
【０００９】
請求項３記載の発明によると、請求項２記載の付箋を取り外す付箋取り外し具であって、バー状本体と、該バー状本体に配設され前記装着マグネット部の磁力よりも強力な磁力を有する取り外し用マグネットと、を備え、該取り外し用マグネットに前記強磁性体が磁気的に吸着されることで、シート状物に装着された該付箋を取り外すことを特徴とする付箋取り外し具が提供される。
【００１０】
請求項４記載の発明によると、シート状物の外周縁に着脱可能に装着された請求項２記載の付箋を請求項３記載の付箋取り外し具で取り外す付箋取り外し方法であって、該付箋取り外し具の前記取り外し用マグネットで該複数の付箋の前記強磁性体をそれぞれ吸着する吸着ステップと、該吸着ステップを実施した後、該複数の付箋が吸着された該付箋取り外し具を１枚又は複数枚のシート状物から離反させることで該複数の付箋を１枚又は複数枚のシート状物から一度に取り外す取り外しステップと、を備えたことを特徴とする付箋取り外し方法が提供される。
【発明の効果】
【００１１】
本発明の付箋は、一対の装着マグネット部の吸着でシート状物を挟み込むことで付箋がシート状物に装着されるため、付箋の着脱時にシート状物が損傷することがない上、従来に比べて付箋が意図しない時点で取り外されてしまう恐れを低減できる。
【００１２】
付箋は一対の装着マグネット部でシート状物に装着されるため、装着を繰り返しても従来の付箋のように粘着力の低下が生じることなく、より多くの回数繰り返して使用が可能となる。
【００１３】
請求項４記載の付箋取り外し方法によると、一度に複数の付箋を取り外すことが可能となり、取り外し作業が容易になるとともに作業時間も短縮化ができる。
【図面の簡単な説明】
【００１４】
【図１】図１（Ａ）は第１実施形態の付箋の平面図、図１（Ｂ）は装着マグネット部を開いた状態の付箋の側面図、図１（Ｃ）は装着マグネット部を閉じた状態の付箋の側面図である。
【図２】第１実施形態の付箋をシート状物に装着した状態の斜視図である。
【図３】第２実施形態の付箋の側面図である。
【図４】第３実施形態の付箋の断面図である。
【図５】本発明実施形態に係る付箋取り外し具の正面図である。
【図６】付箋が複数枚のシート状物に装着された状態の側面図である。
【図７】付箋の吸着ステップを示す側面図である。
【図８】付箋の取り外しステップを側面図である。
【発明を実施するための形態】
【００１５】
以下、本発明の実施形態を図面を参照して詳細に説明する。図１（Ａ）を参照すると、本発明第１実施形態に係る付箋２の平面図が示されている。図１（Ｂ）は一対の装着マグネット部６ａ，６ｂが開いた状態の付箋２の側面図、図１（Ｃ）は一対の装着マグネット部６ａ，６ｂが閉じた状態の付箋２の側面図である。
【００１６】
付箋２は、付箋本体部４と、付箋本体部４の一端に一体的に形成され、紙等のシート状物の表裏面側から該シート状物を挟み込み、付箋本体部４をシート状物に装着する一対の装着マグネット部６ａ，６ｂとから構成される。
【００１７】
付箋２の付箋本体部４は、例えば鉄等からなる強磁性体プレート８の表裏を包み込むようにプラスチックシート等の外皮１２を強磁性体プレート８に貼着して構成される。代替実施形態として、プレート８の一部、好ましくは右端部のみを強磁性体から形成しても良い。
【００１８】
一対の装着マグネット部６ａ，６ｂは、付箋本体部４の外皮１２の延長部分にマグネットシート１０ａ，１０ｂを貼着して構成されている。マグネットシート１０ａ，１０ｂは、片面多極着磁のマグネットシートであり、市販品を採用可能である。マグネットシート１０ａ，１０ｂは多極着磁されているためマグネットシート１０ａ，１０ｂ同士で磁気的に吸着する。
【００１９】
図２を参照すると、付箋２を紙等のシート状物１４に装着した状態の斜視図が示されている。ここで、シート状物とは、紙やクリアフォルダ等のマグネット同士で挟み込める薄さのものをいう。
【００２０】
シート状物１４の表裏両面側から装着マグネット部６ａ，６ｂでシート状物１４を挟み込み、マグネットシート１０ａ，１０ｂが互いに吸着することで付箋本体部４をシート状物１４に装着する。マグネットシート１０ａ，１０ｂの磁気力を適度に調整することにより、付箋２が意図しない時点で取り外されてしまう恐れを低減できる。
【００２１】
図３を参照すると、本発明第２実施形態の付箋２Ａの側面図が示されている。本実施形態の付箋２Ａは、例えば断面Ｙ形状の樹脂シート１６を用意し、樹脂シート１６の基端部に一対の強磁性体１８ａ，１８ｂを貼着する。
【００２２】
そして、断面Ｙ形状の樹脂シート１６の先端部内側に互いに反対極性のマグネットプレート２０ａ，２０ｂを貼着して一対の装着マグネット部６ａ，６ｂを構成する。強磁性体プレート１８ａ、８ｂに変えてマグネットプレートを付箋本体部の基端部に貼着するようにしてもよい。
【００２３】
図４を参照すると、本発明第３実施形態の付箋２Ｂの断面図が示されている。本実施形態の付箋２Ｂは、第２実施形態と同様に断面Ｙ形状の樹脂シート２２内に鉄板等の強磁性体２４を埋め込んで付箋本体部４を構成する。そして、断面Ｙ形状の樹脂シートの内面側にマグネットシート１０ａ，１０ｂをその表面が露出するように埋め込んで一対の装着マグネット部６ａ，６ｂを構成する。
【００２４】
図５を参照すると、本発明実施形態に係る付箋取り外し具２４の正面図が示されている。付箋取り外し具２４は、例えば樹脂から形成されたバー状部材２６中にマグネット棒２８が埋め込まれて構成されている。マグネット棒２８の磁力は、付箋２，２Ａ，２Ｂの装着マグネット部６ａ，６ｂの磁力よりも大きくなるように設定されている。
【００２５】
変形例として、マグネット棒２８に代わり複数個のマグネットを連続して埋設するようにしてもよい。或いは、バー状部材２６上にマグネット棒２８又は複数個のマグネットを貼着するようにしてもよい。バー状部材２６の一端は持ち手部３０となっている。
【００２６】
次に、上述した付箋取り外し具２４を使用した付箋２の取り外し方法について説明する。図６に示すように、紙等の複数のシート状物１４に付箋２が装着されているものとする。
【００２７】
シート状物１４が複数の場合には、図７に示すように、シート状物１４を重ねた状態とする。即ち、シート状物１４が紙の場合には、複数の紙をそろえて重ねた状態とし、シート状物１４がノートであればノートを閉じた状態にする。
【００２８】
このようにシート状物１４を重ねた状態とした後、付箋取り外し具２４を付箋２に近づけてマグネット棒２８で付箋本体部４の強磁性体プレート８を吸着する。この状態で、図８に示すように、矢印Ａ方向に付箋取り外し具２４を移動すると、全ての付箋２をシート状物１４から一度に取り外すことができる。よって、付箋２の取り外し作業が容易になるとともに取り外し作業時間を短縮化できる。
【符号の説明】
【００２９】
２，２Ａ，２Ｂ    付箋
４    付箋本体部
６ａ，６ｂ    装着マグネット部
８    強磁性体プレート
１０ａ，１０ｂ    マグネットシート
１２    外皮
１４    シート状物
１６，２２    Ｙ形状樹脂シート
１８ａ，１８ｂ    強磁性体プレート
２０ａ，２０ｂ    マグネットプレート
２４    付箋取り外し具
２６    バー状部材
２８    マグネット棒
３０    持ち手部
【図１】
2014073601.tif 000003
【図２】
2014073601.tif 000004
【図３】
2014073601.tif 000005
【図４】
2014073601.tif 000006
【図５】
2014073601.tif 000007
【図６】
2014073601.tif 000008
【図７】
2014073601.tif 000009
【図８】
2014073601.tif 000010